【手続補正書】
【提出日】平成20年10月2日(2008.10.2)
【手続補正１】
【補正対象書類名】特許請求の範囲
【補正対象項目名】全文
【補正方法】変更
【補正の内容】
【特許請求の範囲】
【請求項１】
検体を測定するための測定部を備えた分析装置用のユーザインターフェイスであって、
ユーザからの入力を受け付ける入力部と、
表示部と、
検体の測定を行うために使用される測定画面、試薬の交換に使用される試薬交換画面、分析装置に記憶されている分析結果を表示する記憶検体画面、精度管理を行うために使用される精度管理画面、および分析装置の保守に使用されるメンテナンス画面を表示するための各リンクボタンを含むメイン画面を表示部に表示させる第１表示制御手段と、
入力部によりメイン画面に表示された各リンクボタンのうちの一のリンクボタンの選択を受け付けた場合に、選択されたリンクボタンに対応する画面を表示部に表示させる第２表示制御手段と、
記憶検体画面、精度管理画面およびメンテナンス画面が、階層メニューを表示するためのメニューボタンを含んでおり、記憶検体画面、精度管理画面およびメンテナンス画面のうちの一の画面が表示部に表示されている場合において、入力部によりメニューボタンの選択を受け付けたときに、階層メニューを表示中の画面上に表示させる第３表示制御手段と、を備え、
測定画面、試薬交換画面、記憶検体画面、精度管理画面およびメンテナンス画面がそれぞれ画面上部の第１領域、画面下部の第３領域、および第１および第３領域の間の第２領域からなり、
第３表示制御手段は、記憶検体画面、精度管理画面またはメンテナンス画面が表示部に表示されており且つ表示された画面においてメニューボタンの選択を受け付けたときに、階層メニューを表示中の画面の第２領域上に表示させる、分析装置用ユーザインターフェイス。
【請求項２】
分析装置の電源を投入すると、表示部に測定画面を表示させる第４表示制御手段を備え、測定画面はメイン画面を表示させるためのボタンを含む請求項１記載の分析装置用ユーザインターフェイス。
【請求項３】
試薬交換画面、記憶検体画面、精度管理画面およびメンテナンス画面が、メイン画面を表示させるためのボタンを含む請求項２記載の分析装置用ユーザインターフェイス。
【請求項４】
記憶検体画面、精度管理画面およびメンテナンス画面はそれぞれ第３領域にメニューボタンを含む請求項１乃至３の何れか１項に記載の分析装置用ユーザインターフェイス。
【請求項５】
測定画面は、検体の測定を開始するための測定開始ボタンを第１領域に含む、請求項１乃至４の何れか１項に記載の分析装置用ユーザインターフェイス。
【請求項６】
測定画面は、装置の状態を表示する状態表示部を第１領域に表示し、検体番号を表示するための検体表示部を第２領域に表示する請求項１乃至５の何れか１項に記載の分析装置用ユーザインターフェイス。
【請求項７】
メイン画面に表示される各リンクボタンは、それぞれ測定、試薬交換、記憶検体、精度管理およびメンテナンスに関連した絵を表示する画像部を備え、それぞれの画像部の下に、それぞれ測定、試薬交換、記憶検体、精度管理およびメンテナンスを意味する文字を表示する文字部を備えている請求項１乃至６の何れか１項に記載の分析装置用ユーザインターフェイス。
【請求項８】
階層メニューは、第１層と第２層とを含み、
第３表示制御手段は、
入力部によりメニューボタンの選択を受け付けたときに、選択可能な第１メニュー項目を含む第１層を第２領域上に表示させる第１層表示制御手段と、
第１層が表示されている場合において、入力部により第１メニュー項目の選択を受け付けたときに、入力部により選択可能な第２メニュー項目を含む第２層を第２領域上に表示させる第２層表示制御手段と、
を具備する、請求項１乃至７の何れか１項に記載の分析装置用ユーザインターフェイス。
【請求項９】
メンテナンス画面において、第２メニュー項目は、測定部の動作を実行するためのメニュー項目であり、
第２層が表示されている場合において、入力部により第２メニュー項目の選択を受け付けたときに、第２メニュー項目に対応する動作を測定部に実行させる動作実行手段をさらに備える請求項８に記載の分析装置用ユーザインターフェイス。
【請求項１０】
記憶検体画面又は精度管理画面において、第２メニュー項目は、分析装置の分析結果の処理を実行するためのメニュー項目であり、
第２層が表示されている場合において、入力部により第２メニュー項目の選択を受け付けたときに、第２メニュー項目に対応する分析結果の処理を分析装置に実行させる処理実行手段をさらに備える、請求項８に記載の分析装置用ユーザインターフェイス。
【請求項１１】
階層メニューは、第３層をさらに含み、
第３表示制御手段は、第２層が表示されている場合において、入力部により第２メニュー項目の選択を受け付けたときに、入力部により選択可能な第３メニュー項目を含む第３層を第２領域上に表示させる第３層表示制御手段をさらに具備する、請求項８に記載の分析装置用ユーザインターフェイス。
【請求項１２】
表示部がタッチパネル式ディスプレイのディスプレイであり、入力部がタッチパネルである請求項１乃至１１の何れか１項に記載の分析装置用ユーザインターフェイス。
【請求項１３】
請求項１乃至１２の何れかに記載の分析装置用ユーザインターフェイスを備えた分析装置。
【手続補正２】
【補正対象書類名】明細書
【補正対象項目名】０００６
【補正方法】変更
【補正の内容】
【０００６】
上記課題を解決するため、この発明は、検体を測定するための測定部を備えた分析装置用のユーザインターフェイスであって、ユーザからの入力を受け付ける入力部と、表示部と、検体の測定を行うために使用される測定画面、試薬の交換に使用される試薬交換画面、分析装置に記憶されている分析結果を表示する記憶検体画面、精度管理を行うために使用される精度管理画面、および分析装置の保守に使用されるメンテナンス画面を表示するための各リンクボタンを含むメイン画面を表示部に表示させる第１表示制御手段と、入力部によりメイン画面に表示された各リンクボタンのうちの一のリンクボタンの選択を受け付けた場合に、選択されたリンクボタンに対応する画面を表示部に表示させる第２表示制御手段と、記憶検体画面、精度管理画面およびメンテナンス画面が、階層メニューを表示するためのメニューボタンを含んでおり、記憶検体画面、精度管理画面およびメンテナンス画面のうちの一の画面が表示部に表示されている場合において、入力部によりメニューボタンの選択を受け付けたときに、階層メニューを表示中の画面上に表示させる第３表示制御手段と、を備え、測定画面、試薬交換画面、記憶検体画面、精度管理画面およびメンテナンス画面がそれぞれ画面上部の第１領域、画面下部の第３領域、および第１および第３領域の間の第２領域からなり、第３表示制御手段は、記憶検体画面、精度管理画面またはメンテナンス画面が表示部に表示されており且つ表示された画面においてメニューボタンの選択を受け付けたときに、階層メニューを表示中の画面の第２領域上に表示させる分析装置用ユーザインターフェイスを提供する。
この発明の分析装置用ユーザインターフェイスは、上記のような構成とすることで、操作に不慣れなユーザが簡単に操作することを可能とした。
【手続補正３】
【補正対象書類名】明細書
【補正対象項目名】０００７
【補正方法】変更
【補正の内容】
【０００７】
この発明の分析装置用ユーザインターフェイスは、分析装置の電源を投入すると、表示部に測定画面を表示させる第４表示制御手段を備え、測定画面はメイン画面を表示させるためのボタンを含むように構成されていてもよい。
【手続補正４】
【補正対象書類名】明細書
【補正対象項目名】０００８
【補正方法】変更
【補正の内容】
【０００８】
また、試薬交換画面、記憶検体画面、精度管理画面およびメンテナンス画面が、メイン画面を表示させるためのボタンを含むように構成されていてもよい。
【手続補正５】
【補正対象書類名】明細書
【補正対象項目名】０００９
【補正方法】変更
【補正の内容】
【０００９】
また、記憶検体画面、精度管理画面およびメンテナンス画面がそれぞれ第３領域にメニューボタンを含むように構成されていてもよい。
【手続補正６】
【補正対象書類名】明細書
【補正対象項目名】００１０
【補正方法】変更
【補正の内容】
【００１０】
また、測定画面は、検体の測定を開始するための測定開始ボタンを第１領域に含むように構成されていてもよい。
【手続補正７】
【補正対象書類名】明細書
【補正対象項目名】００１１
【補正方法】変更
【補正の内容】
【００１１】
また、測定画面は、装置の状態を表示する状態表示部を第１領域に表示し、検体番号を表示するための検体表示部を第２領域に表示するように構成されていてもよい。
【手続補正８】
【補正対象書類名】明細書
【補正対象項目名】００１２
【補正方法】変更
【補正の内容】
【００１２】
また、メイン画面に表示される各リンクボタンは、それぞれ測定、試薬交換、記憶検体、精度管理およびメンテナンスに関連した絵を表示する画像部を備え、それぞれの画像部の下に、それぞれ測定、試薬交換、記憶検体、精度管理およびメンテナンスを意味する文字を表示する文字部を備えていてもよい。
【手続補正９】
【補正対象書類名】明細書
【補正対象項目名】００１３
【補正方法】変更
【補正の内容】
【００１３】
また、階層メニューは、第１層と第２層とを含み、第３表示制御手段は、入力部によりメニューボタンの選択を受け付けたときに、選択可能な第１メニュー項目を含む第１層を第２領域上に表示させる第１層表示制御手段と、第１層が表示されている場合において、入力部により第１メニュー項目の選択を受け付けたときに、入力部により選択可能な第２メニュー項目を含む第２層を第２領域上に表示させる第２層表示制御手段と、を具備する構成としてもよい。
【手続補正１０】
【補正対象書類名】明細書
【補正対象項目名】００１４
【補正方法】変更
【補正の内容】
【００１４】
また、メンテナンス画面において、第２メニュー項目は、測定部の動作を実行するためのメニュー項目であり、第２層が表示されている場合において、入力部により第２メニュー項目の選択を受け付けたときに、第２メニュー項目に対応する動作を測定部に実行させる動作実行手段をさらに備える構成としてもよい。
【手続補正１１】
【補正対象書類名】明細書
【補正対象項目名】００１５
【補正方法】変更
【補正の内容】
【００１５】
また、記憶検体画面又は精度管理画面において、第２メニュー項目は、分析装置の分析結果の処理を実行するためのメニュー項目であり、第２層が表示されている場合において、入力部により第２メニュー項目の選択を受け付けたときに、第２メニュー項目に対応する分析結果の処理を分析装置に実行させる処理実行手段をさらに備える構成としてもよい。
【手続補正１２】
【補正対象書類名】明細書
【補正対象項目名】００１６
【補正方法】変更
【補正の内容】
【００１６】
また、階層メニューは、第３層をさらに含み、第３表示制御手段は、第２層が表示されている場合において、入力部により第２メニュー項目の選択を受け付けたときに、入力部により選択可能な第３メニュー項目を含む第３層を第２領域上に表示させる第３層表示制御手段をさらに具備する構成としてもよい。
【手続補正１３】
【補正対象書類名】明細書
【補正対象項目名】００１７
【補正方法】変更
【補正の内容】
【００１７】
また、表示部がタッチパネル式ディスプレイのディスプレイであり、入力部がタッチパネルである構成としてもよい。
【手続補正１４】
【補正対象書類名】明細書
【補正対象項目名】００１８
【補正方法】削除
【補正の内容】